(57)【要約】【課題】アイロン掛けせずに四角い形状の洗濯物類などのシワを伸ばせる干し具を提供する。【解決手段】吊り下げ部を有するか、あるいは有しない干し具であって本体１の四隅のそれぞれに貫通穴３を設け、各穴に一本ずつロープ６を貫通させて、この４本のロープ６が本体１のほぼ中央付近で緊張して張った状態に固定できるロープ固定部材７を設ける構造にし、本体１の反対側の各ロープ６の端部に四角い形状の洗濯物類８の四隅を直角の形状のままピンと張って保持できる保持部材４を設ける。さらに該洗濯物類８と本体１との間に挟みこむように本体１の中央付近に取り付けて該洗濯物類の中央付近に圧力をくわえることにより該洗濯物類の四隅以外もピンと張った状態に保持することができる棒状部材２を設ける。さらに該洗濯物類８が長方形の場合もピンと張った状態に保持することができるよう平行する少なくとも２辺は伸縮する構造にした。【選択図】図４
2012110646.tif 000002
【特許請求の範囲】
【請求項１】
吊り下げ部を有するか、あるいは有しない干し具であって４つの辺で囲まれた枠体からなる本体の四隅のそれぞれに貫通穴を設け、各穴に一本ずつロープを貫通させて、この４本のロープが該枠体のほぼ中央付近で緊張して張った状態にする固定部を設け、枠体の反対側の各ロープの端部に四角い形状の洗濯物類の四隅を直角の形状のままピンと張って保持できるように圧力をくわえて押さえる保持部材を設けることを特徴とする干し具。
【請求項２】
請求項１において四角い形状の洗濯物類と該枠体との間に挟みこむように該枠体の中央付近に取り付けて四角い形状の洗濯物類の中央付近に圧力をくわえることにより該洗濯物類の四隅以外もピンと張った状態に保持することができる棒状部材を設けることを特徴とする干し具。
【請求項３】
請求項１又は請求項２において該枠体の平行する少なくとも２辺は伸縮する構造であることを特徴とする干し具
【発明の詳細な説明】
【技術分野】
【０００１】本発明は、物干し具に関する。四角い形状の洗濯物類のアイロン掛けを不要とする技術に関するものである。
【背景技術】
【０００２】従来は四角い形状の洗濯物類の四隅を直角の形状のままピンと張って保持できる保持部材、該洗濯物類の四隅以外もピンと張った状態に保持することができる棒状部材を使用したアイロン不要四角い形状の洗濯物類干し具は、なかった。【０００３】
【特許文献１】特開２００４−１４１５４０
【特許文献２】特開２００５−１３５０５
【特許文献３】特開２００６−３４６４２６
【発明の概要】
【発明が解決しようとする課題】
【０００４】ハンカチなどは毎日使用するものであるが枚数が少量の為、わざわざアイロン掛けをするのが面倒であった。本発明は、この課題を解消するためになされたものである。
【課題を解決するための手段】
【０００５】本発明は前記した課題を解消するため吊り下げ部を有するか、あるいは有しない干し具であって４つの辺で囲まれた枠体からなる本体１の四隅のそれぞれに貫通穴３を設け、各穴に一本ずつロープ６を貫通させて、この４本のロープ６が該枠体のほぼ中央付近で緊張して張った状態に固定できるロープ固定部材７を設ける構造にし、該枠体の反対側の各ロープ６の端部に四角い形状の洗濯物類８の四隅を直角の形状のままピンと張って保持できるように圧力をくわえて押さえられる保持部材４を設ける。さらに四角い形状の洗濯物類８と該枠体との間に挟みこむように該枠体の中央付近に取り付けて四角い形状の洗濯物類の中央付近に圧力をくわえることにより該洗濯物類の四隅以外もピンと張った状態に保持することができる棒状部材２を設ける。さらに四角い形状の洗濯物類８が長方形の場合もピンと張った状態に保持することができるよう該枠体の平行する少なくとも２辺は伸縮する構造にした。【０００６】本発明におけるロープ固定部材７の種類としては、例えばＹ型ピンチ、洗濯ピンチ、ランジェリーピンチ、マットピンチ、目玉クリップ、鉤型形状の洗濯ピンチなどが挙げられる。なかでも目玉クリップを使用するのが、４本のロープ６をまとめて固定しやすいので好ましい。【０００７】本発明におけるロープ６の種類としては、例えば綿ロープ、ナイロンロープ、ビニロン金剛打ロープ、ＰＶロープ、ポリエステルロープなどが挙げられる。なかでもＰＶロープを使用するのが耐熱性、耐候性に優れ、耐水性も比較的優れているので好ましい。とはいえ、ロープでなくても、ひも状のものであれば何でも使用可能である。【０００８】本発明における保持部材４の種類としては、例えばＹ型ピンチ、洗濯ピンチ、ランジェリーピンチ、マットピンチ、目玉クリップ、鉤型形状の洗濯ピンチなどが挙げられる。洗濯ピンチでも使用可能だが、なかでも鉤型形状の洗濯ピンチを使用するのが、四隅を直角の形状のままピンと張って保持しやすいので好ましい。【０００９】本発明における棒状部材２は角形状のものでも四角い形状の洗濯物類８の中央付近に圧力をくわえることは可能だが、この場合、中央付近にスジが付いてしまう難点があるので丸棒形状のものを使用するとスジが付きにくい。
【図面の簡単な説明】
【００１０】
【図１】本発明の正面図である。
【図２】本発明の使用状態を示す正面図である。
【図３】本発明の裏面図である。
【図４】本発明の使用状態を示す立面図である。
【図５】本発明の断面図である。
【発明を実施するための形態】
【００１１】以下、本発明の実施の形態について図面を参照して説明する。
【００１２】図１〜４に示すように４つの辺で囲まれた枠体からなる本体１の四隅に貫通穴３を設ける。
【００１３】前記した本体１の素材としては特に限定されるものではないが、例えばアルミニウム、スチール、ステンレス、プラスチック、木などが挙げられるがプラスチックは成型しやすく軽量化が、はかれるので好ましい素材である。
【００１４】前記した本体１は、中実、中空どちらでもよいが、中空形状のほうが軽量化できるので好ましい。また本体１の断面形状は特に限定されず、例えばコ字状、円形状、方形状などが挙げられる。
【００１５】図１〜４で示すように貫通穴３、各所にロープ６を通す。なおロープ６の種類としては、例えば綿ロープ、ナイロンロープ、ビニロン金剛打ロープ、ＰＶロープ、ポリエステルロープなどが挙げられる。なかでもＰＶロープを使用するのが耐熱性、耐候性に優れ、耐水性も比較的優れているので好ましい。
【００１６】図１、図２、図４で示すように４つの辺で囲まれた枠体からなる本体１の反対側の各ロープ６の端部に四角い形状の洗濯物類８の四隅を直角の形状のままピンと張って保持できるように圧力をくわえて押さえる保持部材４を取り付ける。
また保持部材４を安定した状態で使用できるよう該ロープ６に加え、本体１にレールを設け、そこに保持部材４を取り付けてもよい。
【００１７】前記した保持部材４の請求項１の取り付け方法は、そのほかに例えば本体１の保持部材４を設けた側の四隅にゴムを取り付け、各ゴムは長さを調節して固定できるようにして各ゴムの端部に保持部材４を取り付け、そこに四角い形状の洗濯物類８を取り付けてピンと張って保持する方法や該ロープ６は使用せず前記したレールのみ使用し、保持部材４をレール上で固定できるようにして四角い形状の洗濯物類８の四隅を直角の形状のままピンと張って保持できるように圧力をくわえて押さえる方法もある。
【００１８】前記した保持部材４の種類としては例えばＹ型ピンチ、洗濯ピンチ、ランジェリーピンチ、マットピンチ、目玉クリップ、鉤型形状の洗濯ピンチなどが挙げられる。なかでも鉤型形状の洗濯ピンチを、使用するのが四隅を直角の形状のままピンと張って保持しやすいので好ましい。
【００１９】前記した保持部材４の素材としては特に限定されるものではないが、例えばアルミニウム、スチール、ステンレス、プラスチック、木などが、挙げられるがプラスチックは成型しやすく軽量化が、はかれるので好ましい素材である。
【００２０】図１、図２、図４、図５で示すように４つの辺で囲まれた枠体からなる本体１の反対側の中央付近に四角い形状の洗濯物類の中央付近に圧力をくわえることにより該洗濯物類の四隅以外もピンと張った状態に保持することができる棒状部材２を設ける。
【００２１】前記した棒状部材２の素材としては特に限定されるものではないが、例えばアルミニウム、スチール、ステンレス、プラスチック、木などが、挙げられるがプラスチックは成型しやすく軽量化が、はかれるので好ましい素材である。
【００２２】棒状部材２の断面形状は特に限定されず、例えばコ字状、円形状、方形状などが挙げられる。しかし、コ字状、方形状でも四角い形状の洗濯物類８の中央付近に圧力をくわえることは可能だが、この場合、中央付近にスジが付いてしまう難点があるので円形状のものを使用すると、この難点が解消できるので好ましい。
【００２３】前記した棒状部材２は、中実、中空どちらでもよいが、中空形状のほうが軽量化できるので好ましい。
【００２４】図３で示すように該４本のロープ６が該枠体のほぼ中央付近で緊張して張った状態に固定できるロープ固定部材７を設ける。なおロープ固定部材７の種類としては、例えばＹ型ピンチ、洗濯ピンチ、ランジェリーピンチ、マットピンチ、目玉クリップ、鉤型形状の洗濯ピンチなどが挙げられる。なかでも目玉クリップを使用するのが、４本のロープ６をまとめて固定しやすいので好ましい。
【００２５】前記した目玉クリップの素材としては特に限定されるものではないが、例えばアルミニウム、スチール、ステンレス、プラスチック、木などが、挙げられるがプラスチックは成型しやすく軽量化が、はかれるので好ましい素材である。
【００２６】図１、図２、図４で示すように吊り下げて使用できるように本体１に吊り下げ部５を設ける。
【００２７】前記した吊り下げ部５の素材としては特に限定されるものではないが、例えばアルミニウム、スチール、ステンレス、プラスチック、木などが、挙げられるがプラスチックは成型しやすく軽量化が、はかれるので好ましい素材である。
【００２８】前記した吊り下げ部５は、中実、中空どちらでもよいが、中空形状のほうが軽量化できるので好ましい。また吊り下げ部５の断面形状は特に限定されず、例えばコ字状、円形状、方形状などが挙げられる。
【００２９】図１、図３で示すように四角い形状の洗濯物類８が長方形の場合もピンと張った状態で保持できるよう本体１の平行する少なくとも２辺は伸縮する構造とした。
【００３０】請求項１、２に四角い形状の洗濯物類と記述したが四角い形状であれば該洗濯物類以外の物でも使用可能である。例えばレジャーシート、風呂敷などが挙げられる。
【００３１】請求項３で伸縮する構造であると記述したが正方形の該洗濯物類８のみ使用する場合は伸縮する構造でなくてもよい。この場合、本体１の構造が簡素化できるしコストも削減できる。
【実施例】
【００３２】保持部材４に四角い形状の洗濯物類８の四隅を直角の形状のまま取り付け、ロープ６、該４本で四隅各方向に引っ張ってピンと張った状態にし、本体１反対側の該４本のロープ６の端部を該本体１のほぼ中央付近でロープ固定部材７で固定して使用する。
【発明の効果】
【００３３】請求項１、２により該洗濯物類の四隅、四隅以外もピンと張った状態に保持して乾燥することができるのでアイロン掛けが不要となり、電気アイロンを使用していた場合は電気代の節約にもなる。
【符号の説明】
【００３４】１  本体
２  棒状部材
３  貫通穴
４  保持部材
５  吊り下げ部
６  ロープ
７  ロープ固定部材
８  四角い形状の洗濯物類
９  伸縮部
【図１】
2012110646.tif 000003
【図２】
2012110646.tif 000004
【図３】
2012110646.tif 000005
【図４】
2012110646.tif 000006
【図５】
2012110646.tif 000007